(57)【要約】【課題】高性能の無線周波数識別装置用のアンテナを提供する。【解決手段】無線周波数識別装置用に構成されたアンテナは、基板の上方において、第１の端部と第２の端部との間を伸びている第１の導電要素を備えている。さらに、アンテナは、基板の上方において、第３の端部と第４の端部との間を伸びている第１の経路と、第３の端部から第５の端部まで伸びている第２の経路と、第３の端部から第６の端部まで伸びている第３の経路とを有する第２の導電要素とを備えている。このアンテナにおいて、第１の導電要素の第１の端部は、第２の導電要素の第２の経路の第５の端部と第３の経路の第６の端部とのうちの一方のものに対して、分離されているが近傍に位置していることを特徴とする。【選択図】図１Ａ
2008236713.tif 000002
【特許請求の範囲】
【請求項１】
無線周波数識別装置用に構成されたアンテナであって、
基板の上方において、第１の端部と第２の端部との間を伸びている第１の導電要素と、
上記基板の上方において、第３の端部と第４の端部との間を伸びている第１の経路と、第３の端部から第５の端部まで伸びている第２の経路と、第３の端部から第６の端部まで伸びている第３の経路とを有する第２の導電要素とを備えていて、
上記第１の導電要素の第１の端部は、上記第２の導電要素の第２の経路の第５の端部と第３の経路の第６の端部とのうちの一方のものに対して、分離されているが近傍に位置していることを特徴とするアンテナ。
【請求項２】
上記第１の導電要素と、上記第２の導電要素の第２の経路及び第３の経路の各々が、ほぼ４分の１波長であることを特徴とする、請求項１に記載のアンテナ。
【請求項３】
第３の端部から伸びている第２の経路の一部と、第３の端部から伸びている第３の経路の一部とが、該アンテナの抵抗を決定することができる長さを形成していることを特徴とする、請求項１に記載のアンテナ。
【請求項４】
上記第２の導電要素の第１の経路が、該アンテナの誘導性リアクタンス決定することができる長さを備えていることを特徴とする、請求項１に記載のアンテナ。
【請求項５】
上記第１の導電要素の第１の端部が、上記第２の導電要素の第２の経路の第５の端部から間隙によって分離され、
上記間隙が、該アンテナの帯域幅を決定することができることを特徴とする、請求項１に記載のアンテナ。
【請求項６】
上記第１の導電要素の第１の端部が、上記第２の導電要素の第３の経路の第６の端部から間隙によって分離され、
上記間隙が、該アンテナの帯域幅と結合量とのうちの少なくとも１つを決定することができることを特徴とする、請求項１に記載のアンテナ。
【請求項７】
上記第１の導電要素が蛇行構造を備えていることを特徴とする、請求項１に記載のアンテナ。
【請求項８】
上記第２の導電要素の第１の経路と第２の経路と第３の経路とのうちの少なくとも１つが蛇行構造を備えていることを特徴とする、請求項１に記載のアンテナ。
【請求項９】
上記第１の導電要素の第２の端部が、チップの第１のピンに電気的に接続され、上記第２の導電要素の第１の経路の第４の端部が、上記チップの第２のピンに電気的に接続されていることを特徴とする、請求項１に記載のアンテナ。
【請求項１０】
無線周波数識別装置用に構成されたアンテナであって、
基板の上方において、ほぼ４分の１波長の長さを有するとともに第１の端部と第２の端部との間を伸びている第１の導電経路と、
上記基板の上方において、第３の端部と第４の端部との間を伸びている第２の導電経路と、
上記基板上に形成され、ほぼ４分の１波長の長さを有するとともに第３の端部と第５の端部との間を伸びている第３の導電経路とを備えていて、
上記第１の導電経路の第１の端部は、上記第３の導電経路の第５の端部に対して、分離されているが近傍に位置していることを特徴とするアンテナ。
【請求項１１】
上記基板の上方において、ほぼ４分の１波長の長さを有するとともに第３の端部と第６の端部との間を伸びている第４の導電経路をさらに備えていることを特徴とする、請求項１０に記載のアンテナ。
【請求項１２】
第３の端部から伸びている第３の経路の一部と、第３の端部から伸びている第４の経路の一部とが、該アンテナの抵抗を決定することができる長さを形成していることを特徴とする、請求項１１に記載のアンテナ。
【請求項１３】
上記第２の導電経路が、該アンテナの誘導性リアクタンスを決定することができる長さを備えていることを特徴とする、請求項１０に記載のアンテナ。
【請求項１４】
上記第１の導電経路の第１の端部が、上記第３の導電経路の第５の端部から間隙によって分離され、
上記間隙が、該アンテナの帯域幅と結合量とのうちの少なくとも１つを決定することができることを特徴とする、請求項１０に記載のアンテナ。
【請求項１５】
上記第１の導電経路と上記第２の導電経路と上記第３の導電経路とのうちの少なくとも１つが蛇行構造を備えていることを特徴とする、請求項１０に記載のアンテナ。
【請求項１６】
無線周波数識別装置用に構成されたアンテナであって、
基板の上方において、第１の端部と第２の端部との間を伸びている第１の導電要素と、
上記基板の上方において、第３の端部と第４の端部との間を伸びている第１の経路と、第３の端部から第５の端部まで伸びている第２の経路とを有する第２の導電要素とを備えていて、
上記第１の導電要素の第１の端部は、上記第２の導電要素の第２の経路の第５の端部から間隙によって分離されているが近傍に位置し、
上記間隙が、該アンテナの帯域幅と結合量とのうちの少なくとも１つを決定することができることを特徴とするアンテナ。
【請求項１７】
上記第１の導電要素と、上記第２の導電要素の第２の経路の各々が、ほぼ４分の１波長の長さを備えていることを特徴とする、請求項１６に記載のアンテナ。
【請求項１８】
上記第２の導電要素が、第３の端部から第６の端部まで伸びている第３の経路をさらに備えていることを特徴とする、請求項１６に記載のアンテナ。
【請求項１９】
第３の端部から伸びている第２の経路の一部と、第３の端部から伸びている第３の経路の一部とが、該アンテナの抵抗を決定することができる長さを形成していることを特徴とする、請求項１７に記載のアンテナ。
【請求項２０】
上記第２の導電要素の第１の経路が、該アンテナの誘導性リアクタンス決定することができる長さを備えていることを特徴とする、請求項１６に記載のアンテナ。
【発明の詳細な説明】
【技術分野】
【０００１】
本発明は、一般的には無線周波数識別（ＲＦＩＤ）に関するものであり、とくにはＲＦＩＤタグ用に構成されたアンテナに関するものである。
【背景技術】
【０００２】
無線周波数識別（ＲＦＩＤ）、識別業界における重要な技術であり、種々の応用分野を有している。ＲＦＩＤタグ又はＲＦＩＤラベルは、対象物を識別コードに関連づけるのに幅広く用いられている。例えば、ＲＦＩＤタグは、建物への出入管理や、車両における安全ロックや、在庫追跡などに用いられている。ＲＦＩＤタグに格納された情報により、安全管理が行われている建物へのアクセスを求めている人を識別したり、固有の識別番号を有している在庫品を識別したりすることができる。ＲＦＩＤタグは、個人や荷物や在庫品などを一意的に識別するのに十分な情報を保持し伝達する。一般に、ＲＦＩＤシステムにおいては、ＲＦＩＤタグから情報を取り出すために、ＲＦＩＤ読出器（ＲＦＩＤリーダー）は、無線周波数（ＲＦ）後方散乱技術を用いて、ＲＦＩＤタグに励起信号を送ることができる。励起信号はタグを起動し、これによりタグは格納している情報を、読出器に向かって後方散乱させる。この後、読出器は、ＲＦＩＤタグから送られてきた情報を受信して解読ないしは復号する。
【発明の開示】
【発明が解決しようとする課題】
【０００３】
一般に、ＲＦＩＤタグは、データ処理用のチップと、データ通信用のアンテナとを備えている。ＲＦＩＤ業界においては、ＲＦＩＤタグがＲＦＩＤ読出器から受信したエネルギを有効に受信又は使用し、この後に続く読出器への応答を促進し、又は、タグが無線方式で読出器と通信を行うことができる有効なラジオレンジ（available radio range）に増加させることが重要なことである。効率（efficiency）は、ＲＦＩＤタグのアンテナとチップとの間のインピーダンスを整合させること（matching）により改善される。一般に、チップは比較的高い容量性インピーダンスを示すので、アンテナは、共役整合（conjugate match）を実現するために比較的高い誘導性インピーダンスを持つように設計されている。しかしながら、このように高い誘導性インピーダンスは、ＲＦＩＤタグの帯域幅を狭めるといった不具合を生じさせるであろう。さらに、ＲＦＩＤタグを担持している基板の材料は、タグの所望の誘導性インピーダンスにおいては、振動を起こすであろう。また、チップの容量性インピーダンスは、半導体の製造プロセスに起因して変化するであろう。それゆえ、対応するチップと複素共役を形成することができるＲＦＩＤタグのアンテナを備えることが望ましい。また、ＲＦＩＤタグの帯域幅を増加させる一方、タグのアンテナとチップとの間のインピーダンス整合に対する複素共役を実現することも望ましいことであろう。
【課題を解決するための手段】
【０００４】
本発明の具体例は、無線周波数識別装置（ＲＦＩＤ装置）用に構成（設定）された１つのアンテナを提供する。このアンテナは、基板（substrate）の上方において、第１の端部と第２の端部との間を伸びている第１の導電要素（conductive element）を備えている。さらに、アンテナは、基板の上方において、第３の端部と第４の端部との間を伸びている第１の経路（path）と、第３の端部から第５の端部まで伸びている第２の経路と、第３の端部から第６の端部まで伸びている第３の経路とを有する第２の導電要素とを備えている。そして、このアンテナにおいては、第１の導電要素の第１の端部は、第２の導電要素の第２の経路の第５の端部と第３の経路の第６の端部とのうちの一方のものに対して、分離されているが近傍に位置している。
【０００５】
本発明の具体例は、無線周波数識別装置（ＲＦＩＤ装置）用に構成されたもう１つのアンテナを提供する。このアンテナは、基板の上方において、４分の１波長の長さ（length of one quarter-wavelength long）を有するとともに第１の端部と第２の端部との間を伸びている第１の導電経路を備えている。さらに、アンテナは、基板の上方において第３の端部と第４の端部との間を伸びている第２の導電経路と、基板の上方に形成され４分の１波長の長さを有するとともに第３の端部と第５の端部との間を伸びている第３の導電経路とを備えている。このアンテナにおいては、第１の導電経路（導電要素）の第１の端部は、第３の導電経路の第５の端部に対して、分離されているが近傍に位置している。
【０００６】
本発明の具体例は、無線周波数識別装置（ＲＦＩＤ装置）用に構成されたさらにもう１つのアンテナを提供する。このアンテナは、基板の上方において、第１の端部と第２の端部との間を伸びている第１の導電要素を備えている。さらに、アンテナは、基板の上方において、第３の端部と第４の端部との間を伸びている第１の経路と、第３の端部から第５の端部まで伸びている第２の経路とを有する第２の導電要素とを備えている。このアンテナにおいては、第１の導電要素の第１の端部は、第２の導電要素の第２の経路の第５の端部から、間隙によって分離されているが近傍に位置している。この間隙は、該アンテナの帯域幅を決定することができる。
【発明を実施するための最良の形態】
【０００７】
前記の一般的な説明及び後記の詳細な説明は、いずれも、典型的ないしは例示的なものに過ぎず、特許請求の範囲に係る発明を限定するものではないということを理解すべきである。
【０００８】
前記の一般的な説明及び以下の発明の詳細な説明は、添付の図面を参照することにより、より良く理解することができるであろう。本発明を図で示すために、添付の図面中には現時点における好ましい実施例が示されている。しかしながら、本発明は、図示された精密な装置及び手段に限定されるものではないということを理解すべきである。
【０００９】
以下、添付の図面を参照しつつ、本発明の現時点における実施例を詳細に説明する。添付の図面において、同一の参照番号は、同一又は同様（ないしは類似）の構成用を示している。
【００１０】
図１Ａは、本発明の実施の形態に係る無線周波数識別タグ（ＲＦＩＤタグ）の模式図である。図１Ａに示すように、ＲＦＩＤタグ１０は、チップ１１とアンテナ１２とを備えている。チップ１１は、基板１３（substrate）に結合又は固定され、基板１３上又は基板１３の上方に位置するアンテナ１２に電気的に接続されている。チップ１１は、アンテナ１２を介してＲＦＩＤ読出器と適当な相互作用を生じさせるために、例えば抵抗器、コンデンサ、インダクタ（inductor）、バッテリ、メモリ装置及びプロセッサなどといった適当な電気部品ないしは電子部品を有している。一般に、チップ１１は、比較的高い容量性インピーダンス（ＺＣ）を示す（exhibit）。この容量性インピーダンスは、チップの製造者によって設定され、下記の式であらわされる。
【００１１】
ＺＣ＝ＲＣ−ｊＸＣ
【００１２】
上記の式において、ＲＣは、ＺＣの実数部（real number）であり、チップ１１の抵抗（resistance）をあらわしている。また、ＸＣは、ＺＣの虚数部（imaginary number）であり、チップ１１の容量性リアクタンス（capacitive reactance）をあらわしている。
【００１３】
基板１３は、人ないしは個人の識別票（personal identification badge）や、ラベルや、荷物コンテナなどのための基礎部（basis）を形成する。基板１３に適した材料としては、限定されるわけではないが、ガラス、エポキシ（エポキシ樹脂）、セラミック、テフロン（登録商標）、ＦＲ４などといった硬質材料（hard materials）や、紙、合成紙、プラスチック、ポリイミドなどといった有機性材料が挙げられる。基板１３の材料、電気特性あるいは厚さなどが変わると、これに伴ってアンテナ１２の共鳴周波数（resonance frequency）が変わる。
【００１４】
アンテナ１２は、例えば銅、銅合金、アルミニウム、誘導インク（inductive ink）などといった誘導性材料（inductive material）を含んでいてもよい。誘導性材料のアンテナパターン（antenna pattern）は、エッチング処理工程や、蒸着処理工程（deposition process）や、プリント処理工程（printing process）や、その他の処理工程により、基板１３上（当接している）又は基板１３の上方（離間している）に形成される。一般に、アンテナ１２は、下記の式であらわされる比較的高い誘導性インピーダンス（ＺＬ）を示す。
【００１５】
ＺＬ＝ＲＬ＋ｊＸＬ
【００１６】
上記の式において、ＲＬは、ＺＬの実数部であり、アンテナ１２の放射抵抗（radiation resistance）をあらわしている。また、ＸＬは、ＺＬの虚数部であり、アンテナ１２の誘導性リアクタンス（inductive reactance）をあらわしている。アンテナ１２を設計する上においては、ＺＣとＺＬとに対して複素共役（complex conjugation）を形成するとともに、アンテナ１２の帯域幅を改善するのが望ましい。
【００１７】
再び図１Ａに示すように、アンテナ１２は、第１のアンテナ要素１２−１及び第２のアンテナ要素１２−２などといった２つ又はこれより多いサブセット（sub set）を備えている。第１のアンテナ要素１２−１は、ノード（node）「Ｃ」とノード「Ｄ」との間を伸びている第１の導電経路（以下「第１の経路ＣＤ」という。）と、ノード「Ｃ」からノード「Ａ」に伸びさらにノード「Ｇ」に伸びている第２の導電経路（以下「第２の経路ＣＡＧ」という。）と、ノード「Ｃ」からノード「Ｂ」に伸びさらにノード「Ｈ」に伸びている第３の導電経路（以下「第３の経路ＣＢＨ」という。）とを備えている。第１の経路ＣＤは、所望の誘導性リアクタンス値、すなわちＸＬを実現するように構成され、長さＷ４を有している。本発明の１つの実施の形態においては、長さＷ４が増加すると、これに伴ってＸＬの値が増加する。さらに、第２の経路ＣＡＧの少なくとも一部分、例えば経路ＣＡ、及び、第３の経路ＣＢＨの少なくとも一部分、例えば経路ＣＢは、所望の放射抵抗値、すなわちＲＬを実現するように構成された長さＨ１を有する経路ＡＣＢを形成する。本発明の１つの実施の形態においては、長さＨ１が増加すると、これに伴ってＲＬの値が増加する。
【００１８】
第２の経路ＣＡＧと第３の経路ＣＢＨと第２のアンテナ要素１２−２の各々は、４分の１波長伝達経路であり、その長さは４分の１波長であるか、又は４分の１波長の奇数倍である。１つの実施の形態においては、ＲＦＩＤタグ１０は、１つ又は複数の種々の周波数帯、例えば３つの周波数帯のうちの少なくとも１つなどを受け入れる。これらの３つの周波数帯の一例としては、２．４５ギガヘルツ（ＧＨｚ）又はその近傍の周波数のマイクロ波帯と、８６０メガヘルツ（ＭＨｚ）ないし９６０ＭＨｚの範囲内の極超短波（ＵＨＦ）帯と、１３．６５ＭＨｚ又はその近傍の周波数の高周波（ＨＦ）帯とが挙げられる。他の実施の形態においては、ＲＦＩＤタグ１０は、その応用分野ないしは応用形態に応じて、その他の１つ又は複数の周波数帯の組み合わせを受け入れる。アンテナ１２は、所望の波長帯において電波を送受信するための十分なアンテナ利得（antenna gain）が得られるように構成されている。一例として、ＵＨＦ帯における９１５ＭＨｚの周波数を用いる場合、第２の経路ＣＡＧと第３の経路ＣＢＨと第２のアンテナ要素１２−２の各々は、ほぼ３２センチメートル（＝３×１０８ｍ／９１５Ｍ）の長さをもつ。
【００１９】
第２のアンテナ要素１２−２は、それぞれＲＦＩＤアンテナ１２の短絡点（shorting point）及び供給点（feeding point）として動作するように機能する第１の端部「Ｅ」及び第２の端部「Ｆ」を備えている。第２のアンテナ要素１２−２の第１の端部「Ｅ」は、チップ１１の１つのピン又はパッド（図示せず）に電気的に接続されている。他方、第１経路ＣＤの１つの端部「Ｄ」は、チップ１１のもう１つのピン又はパッド（図示せず）に電気的に接続されている。さらに、第２のアンテナ要素１２−２の第２の端部「Ｆ」は、第２経路ＣＡＧの１つの端部「Ｇ」とは分離ないしは離間されているが、端部「Ｇ」の近傍に位置している。端部Ｆと端部Ｇとの間の距離はｄ１であり、この距離は、アンテナ１２の電場の結合（coupling of electrical fields）に影響を及ぼし、さらにアンテナ１２の帯域幅に影響を及ぼす。本発明の１つの実施の形態においては、距離ｄ１が増加すると、これに伴って電気結合の量が減少する。所望の帯域幅は、電気結合の量を変えることにより得ることができる。第１のアンテナ要素１２−１は、第２のアンテナ要素１２−２に結合ないしは接続された「開回路（open-circuit）」である点に特徴がある。とくに、第２のアンテナ要素１２−２は、端部「Ｇ」で第２経路ＣＡＧに結合ないしは接続された「開回路」である。もう１つの実施の形態においては、第２のアンテナ要素１２−２は、端部「Ｈ」で第３経路ＣＢＨに結合ないしは接続された開回路である。
【００２０】
当業者であれば、アンテナ１２は、ＲＦＩＤタグ１０の所望のインピーダンスなどの所望の電気的特性を実現しつつ種々のアンテナパターン（antenna pattern）を設計することができるということを理解することができるであろう。図１Ｂは、本発明の１つの実施の形態に係る、図１Ａに示すＲＦＩＤタグ１０用に構成されたアンテナ１２１の模式図である。図１Ｂに示すように、アンテナ１２１は、紙基板（paper substrate）上（当接している）又は紙基板の上方（離間している）に形成され、１つの実施の形態においてはほぼ９１５ＭＨｚの電磁波周波数（radiation frequency）を受け入れる。そして、それぞれアンテナ１２１の誘導性リアクタンス及び放射抵抗を決定する長さＨ１及びＷ４は、それぞれ、ほぼ４４ミリメートル（ｍｍ）及び２５ｍｍである。アンテナ１２１の電気結合の量さらには帯域幅を決定する開回路間隙ｄ１は、ほぼ０．５ｍｍである。アンテナ１２１のその他のパラメータもまた、応用分野ないしは応用形態に応じて設定される。例えば、このようなパラメータにおいて、長さＷ１はほぼ２ｍｍであり、長さＷ２はほぼ５８．５ｍｍであり、長さＷ３はほぼ１０ｍｍであり、長さＷ５はほぼ４０ｍｍであり、Ｈ２はほぼ１ｍｍである。さらに、チップ１１のピン間隙に依存する間隙ｄ２はほぼ０．２５ｍｍである。
【００２１】
図１Ｃは、本発明のもう１つの実施の形態に係る、図１Ａに示すＲＦＩＤタグ１０用に構成されたアンテナ１２２の模式図である。図１Ｃに示すように、アンテナ１２２は、第１のアンテナ要素２１と第２のアンテナ要素２２とを備えている。第１のアンテナ要素２１は、第１の経路２１−１と、第２の経路２１−２と、第３の経路２１−３とをさらに備えている。第２の経路２１−２と第３の経路２１−３と第２のアンテナ要素２２の各々は、４分の１波長のものである。第２の経路２１−２は、図１Ｃに示すように、４分の１波長の蛇行構造ないしは湾曲構造（折れ曲がり構造）を有している。さらに、第２のアンテナ要素２２も、図１Ｃに示すように、４分の１波長の蛇行構造ないしは湾曲構造（折れ曲がり構造）を有している。
【００２２】
図１Ｂに示すアンテナ１２１及び図１Ｃに示すアンテナ１２２のための前記のパラメータは、シミュレーションソフトウェアを用いるなどして、シミュレーションに基づいて決定される。１つの実施の形態においては、米国のピッツバーグのアンソフト社（Ansoft Corporation）によるＨＦＳＳ（登録商標）を用いている。ＨＦＳＳ（登録商標）は、高性能の電子設計（electronic design）において、３次元（３Ｄ）電磁場シミュレーションを支援することができるものである。例えば、ＨＦＳＳ（登録商標）は、高周波数で高速の部品の電磁場シミュレーションを支援し、アンテナ及びＲＦ及び／又はマイクロ波部品（microwave components）のほか、オンチップ埋め込み受動部品（on-chip embedded passives）や、プリント回路ボード（ＰＣＢ）相互接続（printed circuit board interconnects）や、高周波数集積回路（ＩＣ）パッケージなどの設計に幅広く用いられている。
【００２３】
図１Ｄは、本発明のもう１つの実施の形態に係るＲＦＩＤタグ１０用に構成されたアンテナ３０の模式図である。図１Ｄに示すように、アンテナ３０は、第１の要素３１と第２の要素３２とを備えている。第１の要素３１は、第１の導電経路３１−１と、第２の導電経路３１−２と、第３の導電経路３１−３とをさらに備えている。第１、第２及び第３の導電経路３１−１、３１−２、３１−３と第２の要素３１の各々は、蛇行構造又は湾曲構造（折れ曲がり構造）を有している。さらに、第２及び第３の導電経路３１−２、３１−３と第２の要素３２の各々は、４分の１波長のものである。シミュレーションソフトウェアの支援により、アンテナ３０に関連するパラメータを決定することができる。
【００２４】
図２は、異なる開回路距離（open-circuit distance）についての、ＲＦＩＤタグ用に構成されたアンテナのインピーダンス示す例示的なプロット図（plots）である。このプロット図は、ＨＦＳＳ（登録商標）などのシミュレーションソフトウェア製品によって作成することができる。このアンテナは、図１Ｂに示すアンテナ１２１の場合と同様のアンテナパターンと、これに関連するパラメータとを有している。図２に示すように、周波数の増加に伴って、チップの容量性リアクタンスが減少している。他方、チップの抵抗は、周波数にはかかわりなく、一定値を維持している。間隙ないしはギャップが異なる場合において、すなわち間隙が０．５ｍｍ、１．０ｍｍ及び１．５ｍｍである場合においては、周波数の変化に伴ってアンテナの抵抗及び誘導性リアクタンスが変化している。それゆえ、間隙が異なる各場合について、チップとアンテナとの間のインピーダンスの共役整合（conjugate matching）を決定することができる。
【００２５】
図３は、異なる開回路距離についての、ＲＦＩＤタグ用に構成されたアンテナの反射減衰量（return loss）を示す例示的なプロット図である。このプロット図は、ＨＦＳＳ（登録商標）などのシミュレーションソフトウェア製品によって作成することができる。このアンテナは、図１Ｂに示すアンテナ１２１の場合と同様のアンテナパターンと、これに関連するパラメータとを有している。図３に示すように、反射減衰量が１０ｄＢより大きいときには、アンテナは、中心周波数９１０ＭＨｚの前部（front part）及び後部（rear part）におけるほぼ７０ＭＨｚより大きい比較的広い帯域幅を有している。
【００２６】
本発明の代表的な実施の形態の説明において、明細書は、本発明に係る方法及び／又はプロセスを、特定の一連のステップとしてあらわしている。しかしながら、上記方法又はプロセスは本明細書に記載された特定の順序のステップとは異なる範囲にまで拡張することができるものであり、上記方法又はプロセスは、本明細書に記載された特定の一連のステップに限定されるものではない。当業者であれば、その他の順序のステップも可能であるということが理解できるであろう。それゆえ、本明細書に記載された特定の順序のステップは、特許請求の範囲を限定するものと解釈すべきではない。さらに、本発明に係る方法及び／又はプロセスに関する請求項は、記載された順序のステップの性能に限定されるべきではない。当業者であれば、本発明の技術思想及び範囲において、ステップの順序を変えることができるということを容易に理解できるであろう。
【００２７】
当業者であれば、本発明の広い概念から離脱することなく、前記の実施の形態に対して変更を行うことができるということが理解できるであろう。それゆえ、本発明は、開示された特定の実施の形態によって限定されるものではなく、特許請求の範囲に記載された本発明の技術思想及び範囲において、多くの修正例を含むものである。
【図面の簡単な説明】
【００２８】
【図１Ａ】本発明の１つの実施の形態に係る無線周波数識別タグ（ＲＦＩＤタグ）の模式図である。
【図１Ｂ】本発明の１つの実施の形態に係る、図１Ａに示すＲＦＩＤタグ用に構成されたアンテナの模式図である。
【図１Ｃ】本発明のもう１つの実施の形態に係る、図１Ａに示すＲＦＩＤタグ用に構成されたアンテナの模式図である。
【図１Ｄ】本発明のもう１つの実施の形態に係る無線周波数識別タグ用に構成されたアンテナの模式図である。
【図２】異なる開回路距離におけるＲＦＩＤタグ用に構成されたアンテナのインピーダンスを示す典型的なプロットグラフである。
【図３】異なる開回路距離におけるＲＦＩＤタグ用に構成されたアンテナの反射減衰量を示す典型的なプロットグラフである。
【符号の説明】
【００２９】
１０  無線周波数識別タグ（ＲＦＩＤタグ）、１１  チップ、１２  アンテナ、１２−１  第１のアンテナ要素、１２−２  第２のアンテナ要素、１３  基板、２１  第１のアンテナ要素、２１−１  第１の経路、２１−２  第２の経路、２１−３  第３の経路、２２  第２のアンテナ要素、３０  アンテナ、３１  第１の要素、３１−１  第２の導電経路、３１−２  第２の導電経路、３１−３  第３の導電経路、３２  第２の要素、１２１  アンテナ、１２２  アンテナ。
【図１Ａ】
2008236713.tif 000003
【図１Ｂ】
2008236713.tif 000004
【図１Ｃ】
2008236713.tif 000005
【図１Ｄ】
2008236713.tif 000006
【図２】
2008236713.tif 000007
【図３】
2008236713.tif 000008